(57)【特許請求の範囲】
【請求項１】
目地部を介して建てられた左右の建物の一方の建物の目地部側の壁躯体に、後端部がヒンジ部材を用いて遊端部が水平方向に回動可能に取付けられた２枚の長方形状枠をコ字状となるように形成した一方の枠体、この一方の枠体の見える面の枠を覆うように固定された一方のパネルとからなる一方の目地カバーと、この一方の目地カバーの一方の枠体間に遊端部がスライド移動可能に挿入された、前記左右の建物の他方の建物の目地部側の壁躯体に後端部がヒンジ部材を用いて遊端部が水平方向に回動可能に取付けられた他方の枠体、この他方の枠体の見える面を覆うように固定された他方のパネルとからなる他方の目地カバーと、一端部が前記一方の目地カバーの一方の枠体間の後端部に取付けられ、他端部が前記他方の目地カバーの後端部に取付けられた少なくとも１個以上の伸縮リンクとを備えることを特徴とする壁用目地装置。
【請求項２】
目地部を介して建てられた左右の建物の一方の建物の目地部側の壁躯体に、後端部がヒンジ部材を用いて遊端部が水平方向に回動可能に取付けられた２枚の長方形状枠をコ字状となるように形成した一方の枠体、この一方の枠体の見える面の枠を覆うように固定された一方のパネル、この一方のパネルの遊端部に一体形成された断面カギ状のガイド部とからなる一方の目地カバーと、この一方の目地カバーの一方の枠体間に遊端部がスライド移動可能に挿入された、前記左右の建物の他方の建物の目地部側の壁躯体に後端部がヒンジ部材を用いて遊端部が水平方向に回動可能に取付けられた他方の枠体、この他方の枠体の見える面を覆うように固定された他方のパネル、この他方のパネルの遊端部に一体形成された前記他方の枠体を前記一方の目地カバーの一方の枠体間内へスムーズに導くガイド部とからなる他方の目地カバーと、一端部が前記一方の目地カバーの一方の枠体間の後端部に取付けられ、他端部が前記他方の目地カバーの後端部に取付けられた２個のパンタグラフ形状の伸縮リンクとを備えることを特徴とする壁用目地装置。
【発明の詳細な説明】
【０００１】
【発明の属する技術分野】
本発明は目地部を介して設けられた左右の建物の壁面間の目地部を伸縮可能に覆う壁用目地装置に関する。
【０００２】
【従来の技術】
最近、免震ビルが多くなり、目地部を介して建てられる左右の建物間の目地部を大きく設けるようになっている。
このように大きな目地部がある左右の建物の壁面間を伸縮可能に覆うには、目地部よりも大きな目地パネルを用いたり、多数枚の目地パネルをスライド移動可能に取付ける壁用目地装置が使用されている。
【０００３】
【発明が解決しようとする課題】
従来の壁用目地装置は大きな目地パネルを用いるものは構造は簡単であるが、目地パネルが大きく重く、設置に苦労するという欠点があった。
また、多数枚の目地パネルを用いるものは多数枚の目地パネルの支持構造が複雑で、コスト高になるという欠点があった。
【０００４】
本発明は以上のような従来の欠点に鑑み、大きな目地部であっても大きな目地カバーを用いることなく、かつ複雑な構造の支持機構を用いることなく、伸縮、前後方向の異なる揺れ動きにも追従できる、安価で構造の簡単な壁用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物の一方の建物の目地部側の壁躯体に、後端部がヒンジ部材を用いて遊端部が水平方向に回動可能に取付けられた２枚の長方形状枠をコ字状となるように形成した一方の枠体、この一方の枠体の見える面の枠を覆うように固定された一方のパネルとからなる一方の目地カバーと、この一方の目地カバーの一方の枠体間に遊端部がスライド移動可能に挿入された、前記左右の建物の他方の建物の目地部側の壁躯体に後端部がヒンジ部材を用いて遊端部が水平方向に回動可能に取付けられた他方の枠体、この他方の枠体の見える面を覆うように固定された他方のパネルとからなる他方の目地カバーと、一端部が前記一方の目地カバーの一方の枠体間の後端部に取付けられ、他端部が前記他方の目地カバーの後端部に取付けられた、少なくとも１個以上の伸縮リンクとで壁用目地装置を構成している。
【０００７】
【発明の実施の形態】
以下、図面に示す実施の形態により、本発明を詳細に説明する。
【０００８】
図１ないし図１０に示す本発明の第１の実施の形態において、１は目地部２を介して建てられた左右の建物３、３の壁躯体３ａ、３ａ間の目地部２を伸縮、異なる前後方向の揺れ動きにも追従移動させることができる本発明の壁用目地装置で、この壁用目地装置１は前記左右の建物３、３の一方の建物３の目地部側の壁躯体３ａに後端部がヒンジ部材４を用いて遊端部が水平方向に回動可能に取付けられた、前記目地部２のほぼ半分の幅寸法の２枚の長方形状枠５、５をコ字状となるように形成した一方の枠体６、この一方の枠体６の見える面（外側面）の枠５を覆うように、該枠５に複数本のビス７等によって固定された一方のパネル８とからなる一方の目地カバー９と、この一方の目地カバー９の一方の枠体６間に遊端部がスライド移動可能に挿入された、前記左右の建物３、３の他方の建物３の目地部側の壁躯体３ａに後端部がヒンジ部材１０を用いて遊端部が水平方向に回動可能に取付けられた、前記目地部２のほぼ半分の幅寸法で、複数本の補強バー１１で固定された他方の枠体１２、この他方の枠体１２の見える面（外側面）を覆うように、該他方の枠体１２に複数本のビス７等によって固定された他方のパネル１３とからなる他方の目地カバー１４と、一端部が前記一方の目地カバー９の一方の枠体６間の後端部に取付けられ、他端部が前記他方の目地カバー１４の後端部に取付けられた少なくとも１個以上、本発明の実施の形態では２個の伸縮リンク１５、１５と、前記他方の目地カバー１４の遊端部の他方の枠体１２に複数本のビス１６、１６によって、前記伸縮リンク１５、１５から該他方の枠体１２の遊端部が離れて前記一方の枠体６間内へ他方の目地カバー１４が入らなくなるのを阻止する、両端部にＬ字状の脚部１７ａ、１７ａが形成された保持金具１７、１７とで構成されている。
【０００９】
前記一方の枠体６は図３に示すように、複数本の補強バー１８、１８が固定された２枚の長方形状枠５、５と、この２枚の長方形状枠５、５の後端部に溶接等によって、該２枚の長方形状枠５、５間に所定の隙間１９を有するように固定する固定板２０とで構成されている。
【００１０】
前記一方のパネル８は図４に示すように、前記一方の枠体６の外側の長方形状枠５を覆う板状の一方のパネル本体２１と、この一方のパネル本体２１の後端部側と一体形成された、アングル状のシール剤２２を支持するシール剤支持部２３と、前記一方のパネル本体２１の遊端部側と一体形成されたカギ状のガイド部２４とで構成されている。
【００１１】
前記他方のパネル１３は図６に示すように、前記他方の枠体１２の外側を覆う板状の他方のパネル本体２５と、この他方のパネル本体２５の後端部側と一体形成されたアングル状のシール剤２２を支持するシール剤支持部２６と、前記他方のパネル本体２５の遊端部側と一体形成された、前記一方のパネル８のガイド部２４とほぼおなじ傾斜面となるガイド部２７とで構成されている。
【００１２】
前記伸縮リンク１５、１５は図７に示すように、四角枠が複数個、本発明の実施の形態では３個のパンタグラフ形状のリンク本体２８と、このリンク本体２８の両端部の枢支ピン２９、２９に取付けられた蝶番３０、３０とで構成されている。
【００１３】
上記構成の壁用目地装置１は地震等によって、目地部２が狭くなるように左右の建物３、３が揺れ動いた場合には、図８に示すように一方の目地カバー９の一方の枠体６内に他方の目地カバー１４の遊端部が入り込み、その揺れ動きを吸収する。
また、目地部２が広くなるように左右の建物３、３が揺れ動いた場合には、図９に示すように一方の目地カバー９の一方の枠体６内より他方の目地カバー１４の遊端部が離れてその揺れ動きを吸収し、揺れ動きが元に戻ると一方の目地カバー９と他方の目地カバー１４とは伸縮リンク１５、１５、一方のパネル８のガイド部２４、他方パネル１３のガイド部２７および保持金具１７、１７とによって自動的に一方の目地カバー９の一方の枠体６内に他方の目地カバー１３の遊端部が入り込み、元の状態に戻る。
【００１４】
左右の建物３、３が地震等によって異なる前後方向に揺れ動いた場合には、図１０に示すように、一方の目地カバー９と他方の目地カバー１４とがヒンジ部材４、１０の枢支ピン４ａ、１０ａを支点に回動するとともに、他方の目地カバー１４の遊端部が一方の目地カバー９の一方の枠体６内をスライド移動して、その揺れ動きを吸収し、揺れ動きが停止すると元の状態に自動的に戻る。
【００１５】
【発明の異なる実施の形態】
次に、図１１ないし図１６に示す本発明の異なる実施に形態につき説明する。なお、これらの本発明の異なる実施の形態の説明に当って、前記本発明の第１の実施の形態と同一構成部分には同一符号を付して重複する説明を省略する。
【００１６】
図１１ないし図１３に示す本発明の第２の実施の形態において、前記本発明の第１の実施の形態と主に異なる点は、リンク本体２８、２８の他端部を他方の枠体１２の後端部の枠バー１２ａの内側面に該リンク本体２８、２８の他端部を前後方向の回動を阻止できるように支持するコ字状の支持部材３１に枢支ピン２９で枢支させ、他方の目地カバー１４の遊端部が伸縮リンク１５Ａ、１５Ａから離れるのを阻止できるようにした点で、このように構成した壁用目地装置１Ａにしても、前記本発明の第１の実施の形態と同様な作用効果が得られる。
【００１７】
図１４ないし図１６に示す本発明の第３の実施の形態において、前記本発明の第２の実施の形態と主に異なる点は、四角枠形状のリンク本体２８Ａを用いた伸縮リンク１５Ｂをほぼ中央部に１個取付けた点で、このように構成した壁用目地装置１Ｂにしても前記本発明の第２の実施の形態と同様な作用効果が得られる。
【００１８】
図１７ないし図１９に示す本発明者が考えた壁用目地装置において、前記本発明の第１の実施の形態と主に異なる点は、１枚の長方形状枠の一方の枠体６Ａを用いて構成した一方の目地カバー９Ａを用いた点で、このように形成された一方の目地カバー９Ａを用いて構成した壁用目地装置１Ｃにしても良い。
【００１９】
図２０ないし図２２に示す本発明者が考えた壁用目地装置において、前記本発明の第４の実施の形態と主に異なる点は、一方の目地カバー９Ａの一方の枠体６Ａの後端部に枢支ピン３２によつて回動可能に取付けられた一方のラック３３と、他方の目地カバー１４の他方の枠体１２の後端部に枢支ピン３４によつて回動可能で前記一方のラック３３と対向するように取付けられた他方のラック３５と、この他方のラック３５と前記一方のラック３３とに噛み合う該他方のラック３５と一方のラック３３にスライド移動可能に取付けられたスライド移動可能な支持部材３６に取付けられたピニオン３７とからなる伸縮リンク１５Ｃを用いた点で、このように形成された伸縮リンク１５Ｃを用いて構成した壁用目地装置１Ｄにしても良い。
【００２０】
【発明の効果】
以上の説明から明らかなように、本発明にあっては次に列挙する効果が得られる。
【００２１】
（１）目地部を介して建てられた左右の建物の一方の建物の目地部側の壁躯体に、後端部がヒンジ部材を用いて遊端部が水平方向に回動可能に取付けられた２枚の長方形状枠をコ字状となるように形成した一方の枠体、この一方の枠体の見える面の枠を覆うように固定された一方のパネルとからなる一方の目地カバーと、この一方の目地カバーの一方の枠体間に遊端部がスライド移動可能に挿入された、前記左右の建物の他方の建物の目地部側の壁躯体に後端部がヒンジ部材を用いて遊端部が水平方向に回動可能に取付けられた他方の枠体、この他方の枠体の見える面を覆うように固定された他方のパネルとからなる他方の目地カバーと、一端部が前記一方の目地カバーの一方の枠体間の後端部に取付けられ、他端部が前記他方の目地カバーの後端部に取付けられた、少なくとも１個以上の伸縮リンクとで構成されているので、通常状態では一方の目地カバーと他方の目地カバーとで目地部を覆うとともに、少なくとも１個以上の伸縮リンクによって一方の目地カバーと他方の目地カバーの静止状態を十分な強度で保つことができる。
したがって、目地部を覆う外壁として使用することができる。
【００２２】
（２）前記（１）によって、他方の目地カバーの遊端部が一方の目地カバー内をスライド移動するとともに、一方の目地カバーと他方の目地カバーの遊端部を水平方向に回動させることができる。
したがって、異なる前後左右方向に左右の建物が地震等によって揺れ動いても、その揺れ動きに追従して移動させることができ、損傷を効率よく阻止することができる。
【００２３】
（３）前記（１）によって、構造が簡単で、安価に製造することができる。
【００２４】
（４）請求項２も前記（１）〜（３）と同様な効果が得られる。
【図面の簡単な説明】
【図１】本発明の第１の実施の形態の正面図。
【図２】図１の２−２線に沿う拡大断面図。
【図３】本発明の第１の実施の形態の一方の枠体の説明図。
【図４】本発明の第１の実施の形態の一方のパネルの説明図。
【図５】本発明の第１の実施の形態の他方の枠体の説明図。
【図６】本発明の第１の実施の形態の他方のパネルの説明図。
【図７】本発明の第１の実施の形態の伸縮リンクの説明図。
【図８】本発明の第１の実施の形態の目地部が狭くなった動作説明図。
【図９】本発明の第１の実施の形態の目地部が広くなった動作説明図。
【図１０】本発明の第１の実施の形態の異なる前後方向の動作説明図。
【図１１】本発明の第２の実施の形態の正面図。
【図１２】図１１の１２−１２線に沿う拡大断面図。
【図１３】本発明の第２の実施の形態の伸縮リンクの説明図。
【図１４】本発明の第３の実施の形態の正面図。
【図１５】図１４の１５−１５線に沿う拡大断面図。
【図１６】本発明の第３の実施の形態の伸縮リンクの説明図。
【図１７】本発明者が考えた壁用目地装置の正面図。
【図１８】本発明者が考えた壁用目地装置の背面図。
【図１９】図１７の１９−１９線に沿う拡大断面図。
【図２０】本発明者が考えた異なる壁用目地装置の正面図。
【図２１】本発明者が考えた異なる壁用目地装置の背面図。
【図２２】図２０の２２−２２線に沿う拡大断面図。
【符号の説明】
１、１Ａ、１Ｂ、１Ｃ、１Ｄ：壁用目地装置、
２：目地部、            ３：建物、
４：ヒンジ部材、        ５：長方形状枠、
６、６Ａ：一方の枠体、  ７：ビス、
８：一方のパネル、      ９、９Ａ：一方の目地カバー、
１０：ヒンジ部材、      １１：補強バー、
１２：他方の枠体、      １３：他方のパネル、
１４：他方の目地カバー、
１５、１５Ａ、１５Ｂ、１５Ｃ：伸縮リンク、
１６：ビス、            １７：保持金具、
１８：補強バー、        １９：隙間、
２０：固定板、          ２１：一方のパネル本体、
２２：シール剤、        ２３：シール剤支持部、
２４：ガイド部、        ２５：他方のパネル本体、
２６：シール剤支持部、  ２７：ガイド部、
２８、２８Ａ：リンク本体、
２９：枢支ピン、        ３０：蝶番、
３１：支持部材、        ３２：枢支ピン、
３３：一方のラック、
３４：枢支ピン、
３５：他方のラック、
３６：支持部材、
３７：ピニオン。
【図１】
0003694657.tif 000002
【図２】
0003694657.tif 000003
【図３】
0003694657.tif 000004
【図４】
0003694657.tif 000005
【図５】
0003694657.tif 000006
【図６】
0003694657.tif 000007
【図７】
0003694657.tif 000008
【図８】
0003694657.tif 000009
【図９】
0003694657.tif 000010
【図１０】
0003694657.tif 000011
【図１１】
0003694657.tif 000012
【図１２】
0003694657.tif 000013
【図１３】
0003694657.tif 000014
【図１４】
0003694657.tif 000015
【図１５】
0003694657.tif 000016
【図１６】
0003694657.tif 000017
【図１７】
0003694657.tif 000018
【図１８】
0003694657.tif 000019
【図１９】
0003694657.tif 000020
【図２０】
0003694657.tif 000021
【図２１】
0003694657.tif 000022
【図２２】
0003694657.tif 000023